(57)【要約】      （修正有）【課題】構造が簡単でワイヤレス方式で着用者以外でもおむつが湿っているか否かを確認することができるおむつを提供する。【解決手段】内部に設けられた吸着層１０と、外側に設けられた阻水層１１と、端縁部の両側に突出して設けられた粘着部１２とを含んでなる本体１からなり、吸着層は、表面に設けられた反応線２と、おむつの本体のどちらかの一端縁部の適宜な位置に設けられた袋体４とを含んでなり、袋体は、反応線の一部を被覆し、内部に固定式の湿度センサー３を設けてなり、該センサーの伝導面上の反応点が反応線に対応し、相互に接触して相通した状態が維持され、おむつの吸着層上の湿度が変化して反応線の抵抗を阻害する状態に影響がでると、信号が固定式の湿度センサー３に送られて瞬時に反応し、着用者におむつ交換の時期を瞬時に知らせる構造からなる。【選択図】図１
0003151939.tif 000002
【実用新案登録請求の範囲】
【請求項１】
内部に設けられた吸着層と、外側に設けられた阻水層と、端縁部の両側に突出して設けられた粘着部とを含んでなる本体からなり、
該吸着層は、表面に設けられた反応線と、おむつの本体のどちらかの一端縁部の適宜な位置に設けられた袋体とを含んでなり、該袋体は、反応線の一部を被覆し、内部に固定式の湿度センサーを設けてなり、該センサーの伝導面上の反応点が反応線に対応し、相互に接触して相通した状態が維持され、おむつの吸着層上の湿度が変化して反応線の抵抗を阻害する状態に影響がでると、信号が固定式の湿度センサーに送られて瞬時に反応し、着用者におむつ交換の時期を瞬時に知らせる構造からなることを特徴とするおむつ。
【請求項２】
前記吸着層が、表面に一本以上の反応線を設けてなることを特徴とする請求項１に記載のおむつ。
【請求項３】
前記おむつの本体が、内部に設けられた固定式の湿度センサーに接触しなくても該センサーが発する信号を受信して瞬時に反応することができる移動可能な湿度センサーを含んでなることを特徴とする請求項1に記載のおむつ。
【考案の詳細な説明】
【技術分野】
【０００１】
この考案は、おむつに関し、特に臀部にあてて、排泄された尿を吸水するおむつに関する。
【背景技術】
【０００２】
科学技術の進歩に伴い、おむつは従来の繰り返し洗濯して使用する布の製品から現在の使い捨ての紙製のものへと進歩してきた。
【０００３】
特に、前述の紙製のおむつは、優れた吸水性を具え、通常人が一回排泄する以上の尿量を吸収することができる。
【０００４】
しかしながら、吸水性に優れているため、尿量が少ない場合には、尿でおむつが湿っていることに気づき難い、という欠点があり、これは着用者にとって適切ではなかった。
【０００５】
そこで、おむつ関連業者は、おむつが湿っていることを示す簡単な表示を設けたおむつを研究開発した。
【０００６】
前述のおむつは、内部の湿気を通して繊維が細くなる現象でおむつの外面に尿でおむつが湿っていることを示す表示を設けてなる。
【０００７】
よって、おむつを取り外さなくても直接、尿でおむつが湿っているか否かを判断することができる。
【０００８】
上述のおむつは、尿でおむつが湿っている状況を適宜に知ることができるため、適宜におむつを交換することができる。
【０００９】
また、おむつが湿っていることに気づかずに長時間おむつを着用し続けて着用者の臀部が長時間、尿液に接触、浸された状態になり、皮膚がかぶれるなどの病気が発生することを防ぐため、便利で実用的である。
【００１０】
上述のように外側に湿った状態が表示されるおむつは、着用者以外の人も確認できるため便利であるが、確認のためには、おむつの外側を見なければならない。
【００１１】
よって、確認時間を忘れた時や、確認を忘れた場合には、従来のおむつのように着用者にとって不快な状況が発生する。
【考案の概要】
【考案が解決しようとする課題】
【００１２】
この考案は、構造が簡単でワイヤレス方式で着用者以外でもおむつが湿っているか否かを確認することができるおむつを提供することを課題とする。
【課題を解決するための手段】
【００１３】
そこで、本考案者は従来の技術に見られる欠点に鑑みて鋭意研究を重ねた結果、内部に設けられた吸着層と、外側に設けられた阻水層と、端縁部の両側に突出して設けられた粘着部とを含んでなる本体からなり、吸着層は、表面に表面に設けられた反応線と、おむつの本体のどちらかの一端縁部の適宜な位置に設けられた袋体とを含んでなり、該袋体は、反応線の一部を被覆し、内部に固定式の湿度センサーを設けてなり、該センサーの伝導面上の反応点が反応線に対応し、相互に接触して相通した状態が維持され、おむつの吸着層上の湿度が変化して反応線の抵抗を阻害する状態に影響がでると、信号が固定式の湿度センサーに送られて瞬時に反応し、着用者におむつ交換の時期を瞬時に知らせる構造からなるおむつによって課題を解決できる点に着眼し、かかる知見に基づいて本考案を完成させた。
【００１４】
以下、この考案について具体的に説明する。
請求項１に記載の内部に設けられた吸着層と、外側に設けられた阻水層と、端縁部の両側に突出して設けられた粘着部とを含んでなる本体からなり、
該吸着層は、表面に設けられた反応線と、おむつの本体のどちらかの一端縁部の適宜な位置に設けられた袋体とを含んでなり、該袋体は、反応線の一部を被覆し、内部に固定式の湿度センサーを設けてなり、該センサーの伝導面上の反応点が反応線に対応し、相互に接触して相通した状態が維持され、おむつの吸着層上の湿度が変化して反応線の抵抗を阻害する状態に影響がでると、信号が固定式の湿度センサーに送られて瞬時に反応し、着用者におむつ交換の時期を瞬時に知らせる構造からなる。
【００１５】
請求項２に記載のおむつは、請求項１における吸着層が、表面に一本以上の反応線を設けてなる。
【００１６】
請求項３に記載のおむつは、請求項１におけるおむつの本体が、内部に設けられた固定式の湿度センサーに接触しなくても該センサーが発する信号を受信して瞬時に反応することができる移動可能な湿度センサーを含んでなる。
【考案の効果】
【００１７】
この考案によるおむつは、着用者も着用者以外で、そばにいない人もおむつが湿っているか、否かを確認できるため便利で実用的であり、構造が簡単でコストを抑えるという効果を有する。
【図面の簡単な説明】
【００１８】
【図１】この考案のおむつを示した斜視図である。
【図２】図１に開示するおむつを示した平面図である。
【図３】この考案のおむつの他の実施形態を示した平面図である。
【図４】この考案のおむつのその他の実施形態を示した説明図である。
【考案を実施するための最良の形態】
【００１９】
この考案は構造が簡単でワイヤレス方式で着用者以外でもおむつが湿っているか否かを確認することができるおむつであって、内部に設けられた吸着層と、外側に設けられた阻水層と、端縁部の両側に突出して設けられた粘着部とを含んでなる本体からなり、吸着層は、表面に設けられた反応線と、おむつの本体のどちらかの一端縁部の適宜な位置に設けられた袋体とを含んでなり、該袋体は、反応線の一部を被覆し、内部に固定式の湿度センサーを設けてなり、該センサーの伝導面上の反応点が反応線に対応し、相互に接触して相通した状態が維持され、おむつの吸着層上の湿度が変化して反応線の抵抗を阻害する状態に影響がでると、信号が固定式の湿度センサーに送られて瞬時に反応し、着用者におむつ交換の時期を瞬時に知らせるおむつの構造と特徴を詳述するために具体的な実施例を挙げ、図示を参照にして以下に説明する。
【実施例】
【００２０】
図１は、この考案のおむつを示した斜視図である。
【００２１】
図面によれば、この考案のおむつは、本体１の構造が従来の製品と略同じであって、内部に設けられた吸着層１０と、外側に設けられた阻水層１１と、端縁部の両側に突出して設けられた粘着部１２とを含んでなる。
【００２２】
図２、図３に開示するように、本体１の吸着層１０は、表面に設けられた一本か、或いは一本以上の反応線２と、本体のどちらかの一端縁部の適宜な位置に設けられた袋体４とを含んでなる。
【００２３】
該袋体４は、反応線２の一部を被覆し、内部に固定式の湿度センサー３を設けてなる。
【００２４】
該固定式の湿度センサー３は、該袋体４に固定して設けると、そのセンサーの伝導面上の反応点が直接、反応線２に接触し、相互に接触して相通した状態を維持する。
【００２５】
よって、特に導線などで接続する必要がなく、簡単で便利である。
【００２６】
上述の本体１の吸着層１０の表面の反応線２は、印刷、縫製、粘着するなどの加工方法で設けることができる。
【００２７】
該反応線２は、カーボンインクなど水分を吸収する導電性の材質を使用して形成する。
【００２８】
また、該反応線２は、誤判を防ぐために、正確さを高めるために一本以上を設けて、尿によりおむつが湿った状況を的確に判断できるようにする。
【００２９】
上述の構造を具えてなるこの考案のおむつの本体１は使用する場合、本体１の吸着層１０の表面の湿度が変化すると、反応線２の抵抗を阻害する状況に影響が与えられて信号が固定式の湿度センサー３に届いて瞬時に反応して警告音を発する、光る、或いは振動などを発する。
【００３０】
よって、着用者は瞬時に、おむつを交換する時期を知ることができるため、おむつ本体１の着用者の不快さを取り除くことができる。
【００３１】
図４は、この考案のおむつのその他の実施形態を示したものである。
【００３２】
図面によれば、該本体１は、上述の実施形態のおむつと同様に反応線２と、袋体４と、固定式の湿度センサー３などの部材を含んで形成する以外に、ワイヤレス方式の移動可能な湿度センサー５を含んでなる。
【００３３】
該移動可能な湿度センサー５は、固定式の湿度センサー３が発する信号を受信すると、瞬時に反応して、警告音を発する、光る、振動するなどを発する。
【００３４】
よって、着用者へ瞬時におむつが湿ったことを知らせることができるとともに、着用者のそばにいない人にもおむつの本体１を交換する時期を知らせることができる。
【００３５】
使用する場合には、上述のワイヤレス方式の移動可能な湿度センサー５は、一人の着用者のおむつの本体１の信号だけでなく、複数の着用者のおむつの本体１の信号も同時に受信することができる。
【００３６】
よって、使用範囲を広げることができるとともに、実用性も高めることができる。
【００３７】
また、固定式の湿度センサー４は、着脱可能で、繰り返し使用することができるため、経済的で、実用的である。
【００３８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００３９】
１      本体
１０    吸着層
１１    阻水層
１２    粘着部
２      反応線
３      固定式の湿度センサー
４      袋体
５      移動可能な湿度センサー
【図１】
0003151939.tif 000003
【図２】
0003151939.tif 000004
【図３】
0003151939.tif 000005
【図４】
0003151939.tif 000006